(57)【要約】【課題】無線通信システムのＣＥＬＬ＿ＦＡＣＨ（セルフォワードアクセスチャネル）状態のＵＥ（ユーザー端末）で高速ダウンリンク機能を実行する間に、ＲＲＣ（無線資源制御）プロセスのデータ伝送効率を向上させる方法及び装置を提供する。【解決手段】方法は、専用Ｈ−ＲＮＴＩ（ＨＳ−ＤＳＣＨ無線ネットワークトランザクション識別子）を用いてＣＥＬＬ＿ＦＡＣＨ状態に対応する高速ダウンリンク機能を実行する段階と、ＲＲＣ更新プロセスを起動する段階と、専用Ｈ−ＲＮＴＩが無効になった場合、その代わりに共通Ｈ−ＲＮＴＩで高速ダウンリンク機能を実行する段階と、専用Ｈ−ＲＮＴＩが有効を保った場合に、同専用Ｈ−ＲＮＴＩを引き続き使用して高速ダウンリンク機能を実行する段階とを含む。【選択図】図３
2008245279.tif 000002
【特許請求の範囲】
【請求項１】
無線通信システムのＣＥＬＬ＿ＦＡＣＨ（セルフォワードアクセスチャネル）状態のＵＥ（ユーザー端末）においてＲＲＣ（無線資源制御）プロセスのデータ伝送方法であって、
専用Ｈ−ＲＮＴＩ（ＨＳ−ＤＳＣＨ無線ネットワークトランザクション識別子）を用いてＣＥＬＬ＿ＦＡＣＨ状態に対応する高速ダウンリンク機能を実行する段階と、
ＲＲＣ更新プロセスを起動する段階と、
専用Ｈ−ＲＮＴＩが無効になった場合、その代わりに共通Ｈ−ＲＮＴＩで高速ダウンリンク機能を実行する段階と、
専用Ｈ−ＲＮＴＩが有効を保った場合に、前記専用Ｈ−ＲＮＴＩを引き続き使用して高速ダウンリンク機能を実行する段階とを含むことを特徴とするデータ伝送方法。
【請求項２】
前記ＲＲＣ更新プロセスはセル更新プロセスまたはＵＲＡ（ＵＴＲＡＮ登録領域）更新プロセスであることを特徴とする請求項１に記載のデータ伝送方法。
【請求項３】
前記専用Ｈ−ＲＮＴＩが無効になった場合、その代わりに共通Ｈ−ＲＮＴＩで高速ダウンリンク機能を実行する段階は、セル再選択またはＵＲＡ再選択の場合に共通Ｈ−ＲＮＴＩで高速ダウンリンク機能を実行することを特徴とする請求項１に記載のデータ伝送方法。
【請求項４】
前記専用Ｈ−ＲＮＴＩが有効を保った場合に、前記専用Ｈ−ＲＮＴＩを引き続き使用して高速ダウンリンク機能を実行する段階は、周期的セル更新の場合に専用Ｈ−ＲＮＴＩを引き続き使用して高速ダウンリンク機能を実行することを特徴とする請求項１に記載のデータ伝送方法。
【請求項５】
前記高速ダウンリンク機能はＨＳ−ＤＳＣＨ（高速ダウンリンク共用チャネル）受信機能を含むことを特徴とする請求項１に記載のデータ伝送方法。
【請求項６】
前記共通Ｈ−ＲＮＴＩで高速ダウンリンク機能を実行する段階は、
共通Ｈ−ＲＮＴＩに対応するＨＳ＿ＤＳＣＨ＿ＲＥＣＥＰＴＩＯＮ＿ＯＦ＿ＣＣＣＨ変数を真に設定する段階と、
ＵＥを設定するＩＥ（情報要素）の構成データに基づいてＨＳ−ＤＳＣＨ受信機能に対応する物理チャネルとトランスポートチャネルの動作を起動する段階とを含むことを特徴とする請求項５に記載のデータ伝送方法。
【請求項７】
前記ＩＥは接続モードダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ  ｆｏｒ  ｃｏｎｎｅｃｔｅｄ  ｍｏｄｅ）ＩＥまたはＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ）ＩＥであることを特徴とする請求項６に記載のデータ伝送方法。
【請求項８】
無線通信システムにおいてＲＲＣプロセスのデータを伝送する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記憶する記憶装置とを含み、前記プログラムコードは、
専用Ｈ−ＲＮＴＩを用いてＣＥＬＬ＿ＦＡＣＨ状態に対応する高速ダウンリンク機能を実行するコードと、
ＲＲＣ更新プロセスを起動するコードと、
専用Ｈ−ＲＮＴＩが無効になった場合、その代わりに共通Ｈ−ＲＮＴＩで高速ダウンリンク機能を実行するコードと、
専用Ｈ−ＲＮＴＩが有効を保った場合に、前記専用Ｈ−ＲＮＴＩを引き続き使用して高速ダウンリンク機能を実行するコードとを含むことを特徴とする通信装置。
【請求項９】
前記ＲＲＣ更新プロセスはセル更新プロセスまたはＵＲＡ更新プロセスであることを特徴とする請求項８に記載の通信装置。
【請求項１０】
前記専用Ｈ−ＲＮＴＩが無効になった場合、その代わりに共通Ｈ−ＲＮＴＩで高速ダウンリンク機能を実行するコードは、セル再選択またはＵＲＡ再選択の場合に共通Ｈ−ＲＮＴＩで高速ダウンリンク機能を実行することを特徴とする請求項８に記載の通信装置。
【請求項１１】
前記専用Ｈ−ＲＮＴＩが有効を保った場合に、前記専用Ｈ−ＲＮＴＩを引き続き使用して高速ダウンリンク機能を実行するコードは、周期的セル更新の場合に専用Ｈ−ＲＮＴＩを引き続き使用して高速ダウンリンク機能を実行することを特徴とする請求項８に記載の通信装置。
【請求項１２】
前記高速ダウンリンク機能はＨＳ−ＤＳＣＨ受信機能を含むことを特徴とする請求項８に記載の通信装置。
【請求項１３】
前記共通Ｈ−ＲＮＴＩで高速ダウンリンク機能を実行するコードは、
共通Ｈ−ＲＮＴＩに対応するＨＳ＿ＤＳＣＨ＿ＲＥＣＥＰＴＩＯＮ＿ＯＦ＿ＣＣＣＨ変数を真に設定するコードと、
ＵＥを設定するＩＥの構成データに基づいてＨＳ−ＤＳＣＨ受信機能に対応する物理チャネルとトランスポートチャネルの動作を起動するコードとを含むことを特徴とする請求項１２に記載の通信装置。
【請求項１４】
前記ＩＥは接続モードダウンリンクＨＳ−ＰＤＳＣＨシステム情報ＩＥまたはＨＳ−ＰＤＳＣＨシステム情報ＩＥであることを特徴とする請求項１３に記載の通信装置。
【発明の詳細な説明】
【技術分野】
【０００１】
本発明は無線通信システムにおいてデータ伝送効率を向上させる方法及び装置に関し、特に無線通信システムにおいてＲＲＣ（無線資源制御）プロセスのデータ伝送効率を向上させる方法及び装置に関する。
【背景技術】
【０００２】
第三世代移動通信技術はＷＣＤＭＡ（広帯域多元分割接続）方式で高スペクトル利用効率、高カバー率、優れた通話品質と高速のマルチメディアデータ伝送を実現するとともに、ＱｏＳ（サービス品質）の確保、柔軟性のある双方向通信の実現、よりよい通信品質の提供、通話中断率の低減に大きく寄与する。第三世代移動通信システムを通して、ユーザーは無線通信装置（例えば携帯電話）で映像通信、電話会議、オンラインゲーム、オンラインミュージック、電子メールを楽しむことができる。もっとも、これらの機能は迅速かつ実時間の送信機能に頼る。帯域幅の利用効率とパケットデータの処理効率を向上させ、上り・下りの送信速度を改善するために、従来の第三世代移動通信技術にはＨＳＤＰＡ（高速ダウンリンクパケットアクセス）とＨＳＵＰＡ（高速アップリンクパケットアクセス）が導入された。ＨＳＤＰＡ技術をもとに、３ＧＰＰ（第三世代パートナーシッププロジェクト）はＲＲＣ接続モードのＣＥＬＬ＿ＦＡＣＨ（セルフォワードアクセスチャネル）状態に高速ダウンリンク共用チャネル受信機能を導入した。同機能は、ＣＥＬＬ＿ＦＡＣＨ状態のＵＥでＨＳ−ＤＳＣＨ（高速ダウンリンク共用チャネル）とＨＳ−ＳＣＣＨ（ＨＳ−ＤＳＣＨ共用制御チャネル）を合わせてダウンリンクデータを受信することを可能にし、ピークデータ率、信号遅延、状態遷移遅延、セルでサポート可能なＵＥ数を改善する。
【０００３】
ＵＴＲＡＮ（ＵＭＴＳ無線アクセスネットワーク）はシステム情報ブロードキャスト方式でＵＥ（ユーザー端末）の高速ダウンリンク受信機能を起動する。関連パラメータとしてはＨＳ−ＳＣＣＨ構成、ＨＳ−ＤＳＣＨ構成、及び共通Ｈ−ＲＮＴＩ（ＨＳ−ＤＳＣＨ無線ネットワークトランザクション識別子）パラメータなどがあり、これらのパラメータはＳＩＢ（システム情報ブロック）タイプ５／５ｂｉｓのダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ）というＩＥ（情報要素）を通してアイドリングモードのＵＥに送信されるか、またはＳＩＢタイプ６の接続モードダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ  ｆｏｒ  ｃｏｎｎｅｃｔｅｄ  ｍｏｄｅ）というＩＥを通してＲＲＣ接続モードのＵＥに送信される。
【０００４】
ＵＥは共通Ｈ−ＲＮＴＩまたは専用Ｈ−ＲＮＴＩを用いて高速ダウンリンク受信機能を実行することができる。共通Ｈ−ＲＮＴＩと専用Ｈ−ＲＮＴＩはＵＥのＩＤを示すものであって、これを利用すれば、ＵＥはそれ自身に属するダウンリンクパケットを受信することができる。共通Ｈ−ＲＮＴＩと専用Ｈ−ＲＮＴＩの相違点は、前者は複数のＵＥに用いられ、後者は特定のＵＥにのみ割り当てられることにある。ダウンリンクＭＡＣ（媒体アクセス制御）でのパケット受信過程では、共通Ｈ−ＲＮＴＩを用いるＵＥはパケットの中のＵＥ  ＩＤ情報、例えばパケットヘッダの中のＵＥ  ＩＤまたはＵＥ  ＩＤタイプをいちいち確認しなければならない。それに対して、専用Ｈ−ＲＮＴＩを用いるＵＥに送信するパケットはＵＥ  ＩＤ情報を含む必要がないので、データ伝送効率を向上させることができる。
【０００５】
ＵＥで共通Ｈ−ＲＮＴＩを取得する方法は、前記共通Ｈ−ＲＮＴＩパラメータから共通Ｈ−ＲＮＴＩを選出することを内容とする。一方、専用Ｈ−ＲＮＴＩはＲＲＣプロセス（例えばＲＲＣ確立プロセスまたはセル更新プロセス）でＵＴＲＡＮを通してＵＥに割り当てられ、ＵＥで受信された専用Ｈ−ＲＮＴＩはＵＥのＨ−ＲＮＴＩ変数に保存される。したがって、高速ダウンリンク受信機能の起動時、Ｈ−ＲＮＴＩ変数として既に所定値が設定されていれば、ＵＥは専用Ｈ−ＲＮＴＩを使用する。さもなければ共通Ｈ−ＲＮＴＩを使用する。
【０００６】
そのほか、ＵＥにはＨＳ＿ＤＳＣＨ＿ＲＥＣＥＰＴＩＯＮ＿ＣＥＬＬ＿ＦＡＣＨ＿ＳＴＡＴＥ変数とＨＳ＿ＤＳＣＨ＿ＲＥＣＥＰＴＩＯＮ＿ＯＦ＿ＣＣＣＨ変数があり、両者は専用Ｈ−ＲＮＴＩと共通Ｈ−ＲＮＴＩの使用状態に関する変数である。ＨＳ＿ＤＳＣＨ＿ＲＥＣＥＰＴＩＯＮ＿ＣＥＬＬ＿ＦＡＣＨ＿ＳＴＡＴＥ変数が真（ＴＲＵＥ）になることは、ＵＥで専用Ｈ−ＲＮＴＩを使用し、これに基づいてＤＴＣＨ（専用トラヒックチャネル）とＤＣＣＨ（専用制御チャネル）のパケットを受信することを示す。ＨＳ＿ＤＳＣＨ＿ＲＥＣＥＰＴＩＯＮ＿ＯＦ＿ＣＣＣＨ変数が真になることは、ＵＥで共通Ｈ−ＲＮＴＩを使用し、これに基づいてＣＣＣＨ（共通制御チャネル）に対応するパケットを受信することを示す。両変数がすべて偽（ＦＡＬＳＥ）になることは、ＵＥで高速ダウンリンク受信機能をオフにしたことを示す。
【０００７】
高速ダウンリンク受信機能を実行する間、ＵＥは特定の状況でセル更新プロセスを起動する。セル更新プロセスの起動原因としては、セル再選択、周期的セル更新、無線リンク障害、ＲＬＣ回復不能エラー、及びアップリンクデータ伝送などが挙げられる。また、ＵＲＡ（ＵＴＲＡＮ登録領域）再選択、周期的ＵＲＡ更新が起こったとき、ＵＥはＵＲＡ更新プロセスを実行する。
【０００８】
前掲起動原因のいずれかによりセル／ＵＲＡ更新プロセスを起動した後、ＵＥはＨＳ＿ＤＳＣＨ＿ＲＥＣＥＰＴＩＯＮ＿ＯＦ＿ＣＣＣＨ変数を真にし、ＳＩＢタイプ５／５ｂｉｓまたはタイプ６の関連構成データに基づいて、対応する物理チャネル（ＨＳ−ＳＣＣＨとＨＳ−ＰＤＳＣＨ）及びトランスポートチャネル（ＨＳ−ＤＳＣＨ）の動作を起動する。言い換えれば、従来のＵＥは、セル／ＵＲＡ更新プロセスが起動される限り、起動の原因と関係なく一律に共通Ｈ−ＲＮＴＩを用いてダウンリンクパケットを受信する。
【０００９】
セル／ＵＲＡ再選択と周期的セル／ＵＲＡ更新の場合を考えると、従来の技術では、ＵＥで最初に専用Ｈ−ＲＮＴＩで高速ダウンリンク受信機能を実行し、その期間中にセル再選択によりセル／ＵＲＡ更新プロセスが起動され、専用Ｈ−ＲＮＴＩが無効になった場合では、ＵＥはＨ−ＲＮＴＩ変数を消去して共通Ｈ−ＲＮＴＩを用いなければならない。それに対して、周期的セル／ＵＲＡ更新により起動された場合、専用Ｈ−ＲＮＴＩは依然として有効であり、ＵＥはＨ−ＲＮＴＩ変数を消去しないが、それにもかかわらず専用Ｈ−ＲＮＴＩの代わりに共通Ｈ−ＲＮＴＩを用いる。無線資源の観点がらみれば、共通Ｈ−ＲＮＴＩに対応するパケットにはＵＥ  ＩＤ情報の添付が必要であり、専用Ｈ−ＲＮＴＩにはその添付が必要ではないので、共通Ｈ−ＲＮＴＩでデータを伝送することに用いる無線資源が多い。
【発明の開示】
【発明が解決しようとする課題】
【００１０】
本発明は無線通信システムのＣＥＬＬ＿ＦＡＣＨ状態のＵＥで高速ダウンリンク機能を実行する間に、ＲＲＣプロセスのデータ伝送効率を向上させる方法及び装置を提供することを課題とする。
【課題を解決するための手段】
【００１１】
本発明は、無線通信システムのＣＥＬＬ＿ＦＡＣＨ（セルフォワードアクセスチャネル）状態のＵＥ（ユーザー端末）においてＲＲＣ（無線資源制御）プロセスのデータ伝送方法を提供する。該方法は、専用Ｈ−ＲＮＴＩ（ＨＳ−ＤＳＣＨ無線ネットワークトランザクション識別子）を用いてＣＥＬＬ＿ＦＡＣＨ状態に対応する高速ダウンリンク機能を実行する段階と、ＲＲＣ更新プロセスを起動する段階と、専用Ｈ−ＲＮＴＩが無効になった場合、その代わりに共通Ｈ−ＲＮＴＩで高速ダウンリンク機能を実行する段階と、専用Ｈ−ＲＮＴＩが有効を保った場合に、同専用Ｈ−ＲＮＴＩを引き続き使用して高速ダウンリンク機能を実行する段階とを含む。
【００１２】
本発明は更に、無線通信システムにおいてＲＲＣプロセスのデータを伝送する通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記憶する記憶装置とを含む。該プログラムコードは、専用Ｈ−ＲＮＴＩを用いてＣＥＬＬ＿ＦＡＣＨ状態に対応する高速ダウンリンク機能を実行するコードと、ＲＲＣ更新プロセスを起動するコードと、専用Ｈ−ＲＮＴＩが無効になった場合、その代わりに共通Ｈ−ＲＮＴＩで高速ダウンリンク機能を実行するコードと、専用Ｈ−ＲＮＴＩが有効を保った場合に、同専用Ｈ−ＲＮＴＩを引き続き使用して高速ダウンリンク機能を実行するコードとを含む。
【発明を実施するための最良の形態】
【００１３】
かかる方法及び装置の特徴を詳述するために、具体的な実施例を挙げ、図を参照にして以下に説明する。
【００１４】
図１を参照する。図１は無線通信装置１００のブロック図である。説明を簡素化するために、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示されている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。望ましくは、無線通信装置１００は第三世代移動通信システムに用いられ、ＣＥＬＬ＿ＦＡＣＨ状態の高速ダウンリンク機能（ＨＳ−ＤＳＣＨ受信機能を含む）をサポートする。
【００１５】
図２を参照する。図２は図１に示すプログラムコード１１２を表す説明図である。プログラムコード１１２はアプリケーション層２００と、第三層２０２と、第一層２１８に接続された第二層２０６を備える。第三層２０２に設けられるＲＲＣエンティティー２２２は第一層２１８と第二層２０６を制御し、ＲＲＣプロセスで基地局またはＵＴＲＡＮと高速ダウンリンク受信機能構成データを交換する。なお、ＲＲＣエンティティー２２２は無線通信装置１００のＲＲＣ状態をアイドリング状態、ＣＥＬＬ＿ＰＣＨ（セルページングチャネル）状態、ＵＲＡ＿ＰＣＨ（ＵＴＲＡＮ登録領域ページングチャネル）状態、ＣＥＬＬ＿ＦＡＣＨ状態、またはＣＥＬＬ＿ＤＣＨ（セル専用チャネル）状態に切り替えることができる。
【００１６】
無線通信装置１００がＣＥＬＬ＿ＦＡＣＨ状態になって高速ダウンリンク受信機能を実行する場合に鑑みて、本発明の実施例ではプログラムコード１１２にＨ−ＲＮＴＩ管理プログラムコード２２０を設け、データ伝送効率を向上させる。図３を参照する。図３は本発明の実施例による方法３０のフローチャートである。下記方法３０は無線通信システムのＣＥＬＬ＿ＦＡＣＨ状態のＵＥに用いられ、Ｈ−ＲＮＴＩ管理プログラムコード２２０としてコンパイルすることができる。
【００１７】
ステップ３００：開始。
ステップ３０２：専用Ｈ−ＲＮＴＩを用いてＣＥＬＬ＿ＦＡＣＨ状態に対応する高速ダウンリンク機能を実行する。
ステップ３０４：起動原因に基づいてセル更新プロセスまたはＵＲＡ更新プロセスを起動する。
ステップ３０６：上記起動原因により専用Ｈ−ＲＮＴＩが無効になった場合、その代わりに共通Ｈ−ＲＮＴＩで高速ダウンリンク機能を実行する。
ステップ３０８：上記起動原因により専用Ｈ−ＲＮＴＩが有効を保った場合に、同専用Ｈ−ＲＮＴＩを引き続き使用して高速ダウンリンク機能を実行する。
ステップ３１０：終了。
【００１８】
望ましくは、上掲高速ダウンリンク機能はＨＳ−ＤＳＣＨ受信機能を含む。ＵＥは特定の状況でセル／ＵＲＡ更新プロセスを起動し、起動原因と関連の構成変更情報をネットワークに提供する。セル更新プロセスの起動原因としては、セル再選択、周期的セル更新、無線リンク障害、ＲＬＣ回復不能エラー、及びアップリンクデータ伝送などがある。ＵＲＡ更新プロセスの起動原因としては、ＵＲＡ再選択と周期的ＵＲＡ更新がある。なお、ＵＥで共通Ｈ−ＲＮＴＩを用いた場合、ネットワークから送信されるパケットにはＵＥ  ＩＤ情報が含まれ、専用Ｈ−ＲＮＴＩを用いた場合では、送信パケットにはＵＥ  ＩＤ情報が含まれない。
【００１９】
起動原因がセル再選択またはＵＲＡ再選択であって専用Ｈ−ＲＮＴＩが無効になった場合、ＵＥは専用Ｈ−ＲＮＴＩを消去し、その代わりに共通Ｈ−ＲＮＴＩで高速ダウンリンク機能を実行する。共通Ｈ−ＲＮＴＩへ変更するために、ＵＥでＨＳ＿ＤＳＣＨ＿ＲＥＣＥＰＴＩＯＮ＿ＯＦ＿ＣＣＣＨ変数を真にし、ネットワークから送信されたＩＥ（情報要素）の構成データに基づいて関連物理チャネルとトランスポートチャネルの動作を起動する。当該ＩＥはＵＥの高速ダウンリンク機能を設定するためのダウンリンクＨＳ−ＰＤＳＣＨシステム情報ＩＥ、または接続モードダウンリンクＨＳ−ＰＤＳＣＨシステム情報ＩＥである。
【００２０】
それに対して、起動原因が周期的セル更新であって専用Ｈ−ＲＮＴＩが有効を保った場合では、ＵＥは同専用Ｈ−ＲＮＴＩを引き続き使用して高速ダウンリンク機能を実行し、無線資源の使用効率を保持する。
【００２１】
まとめていえば、従来の技術では、セル／ＵＲＡ更新プロセスが起動された場合、起動の原因がどうであれ、ＵＥはいずれも共通Ｈ−ＲＮＴＩで高速ダウンリンク機能を実行する。本発明の実施例では、ＵＥはセル／ＵＲＡ更新プロセスの起動時、専用Ｈ−ＲＮＴＩが無効になるか削除された場合にのみ共通Ｈ−ＲＮＴＩで高速ダウンリンク機能を実行し、専用Ｈ−ＲＮＴＩが有効の場合では引き続き専用Ｈ−ＲＮＴＩを使用することで、無線資源の使用率を低くし、パケットの伝送効率を向上させる。
【００２２】
なお、本発明の他の実施例として、無線通信システムにおいてＲＲＣプロセスのデータを伝送する通信装置であって、専用Ｈ−ＲＮＴＩを用いてＣＥＬＬ＿ＦＡＣＨ状態に対応する高速ダウンリンク機能を実行し、ＲＲＣ更新プロセスを起動し、専用Ｈ−ＲＮＴＩが無効になった場合、その代わりに共通Ｈ−ＲＮＴＩで高速ダウンリンク機能を実行し、専用Ｈ−ＲＮＴＩが有効を保った場合に、前記専用Ｈ−ＲＮＴＩを引き続き使用して高速ダウンリンク機能を実行する通信装置が挙げられる。この通信装置において、上記ＲＲＣ更新プロセスは、セル更新プロセスまたはＵＲＡ更新プロセスであってよい。また、上記通信装置は、上記専用Ｈ−ＲＮＴＩが無効になった場合、その代わりに共通Ｈ−ＲＮＴＩで高速ダウンリンク機能を実行するときに、セル再選択またはＵＲＡ再選択の場合に共通Ｈ−ＲＮＴＩで高速ダウンリンク機能を実行してもよい。また、上記通信装置は、上記専用Ｈ−ＲＮＴＩが有効を保った場合に、上記専用Ｈ−ＲＮＴＩを引き続き使用して高速ダウンリンク機能を実行ときに、周期的セル更新の場合に専用Ｈ−ＲＮＴＩを引き続き使用して高速ダウンリンク機能を実行してもよい。また、上記通信装置は、上記高速ダウンリンク機能は、ＨＳ−ＤＳＣＨ受信機能を含んでもよい。また、上記通信装置は、上記共通Ｈ−ＲＮＴＩで高速ダウンリンク機能を実行するときに、共通Ｈ−ＲＮＴＩに対応するＨＳ＿ＤＳＣＨ＿ＲＥＣＥＰＴＩＯＮ＿ＯＦ＿ＣＣＣＨ変数を真に設定し、ＵＥを設定するＩＥの構成データに基づいてＨＳ−ＤＳＣＨ受信機能に対応する物理チャネルとトランスポートチャネルの動作を起動してもよい。また、上記通信装置において、上記ＩＥは、接続モードダウンリンクＨＳ−ＰＤＳＣＨシステム情報ＩＥまたはＨＳ−ＰＤＳＣＨシステム情報ＩＥであってよい。
【００２３】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２４】
【図１】本発明の実施例による無線通信装置のブロック図である。
【図２】図１に示すプログラムコードを表す説明図である。
【図３】本発明の実施例による方法のフローチャートである。
【符号の説明】
【００２５】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  Ｈ−ＲＮＴＩ管理プログラムコード
２２２  ＲＲＣエンティティー
【図１】
2008245279.tif 000003
【図２】
2008245279.tif 000004
【図３】
2008245279.tif 000005